(57)【要約】【課題】部分発光動作を行う光源部を用いて映像表示を行う際に、表示画質をほぼ維持しつつ低消費電力化を図ることが可能な液晶表示装置を提供する。【解決手段】部分駆動化処理部４２は、映像信号Ｄ１に基づいて、部分発光領域３６に対応する画素領域単位での最大画素値（ブロック最大画素値Ｄ２max）と、部分発光領域３６に対応する画素領域単位での平均画素値（ブロック平均画素値Ｄ２ave）とをそれぞれ算出する。そして、ブロック最大画素値Ｄ２maxおよびブロック平均画素値Ｄ２aveの双方に基づいて、発光パターン信号ＢＬ１および部分駆動用映像信号Ｄ４を生成する。表示画質における違和感等がほとんど生じることなく、部分発光領域３６における発光輝度が抑えられる。【選択図】図４
2011242604.tif 000002
【特許請求の範囲】
【請求項１】
互いに独立して制御される複数の部分発光部を有する光源部と、
前記光源部から前記部分発光部単位で射出された光を入力映像信号に基づいて変調することにより、映像表示を行う液晶表示パネルと、
前記入力映像信号に基づいて、前記光源部における前記部分発光部単位での発光パターンを示す発光パターン信号と、部分駆動用映像信号とをそれぞれ生成する部分駆動化処理部を有し、前記発光パターン信号を用いて前記光源部の各部分発光部に対する発光駆動を行うと共に、前記部分駆動用映像信号を用いて前記液晶表示パネルに対する表示駆動を行う表示制御部と
を備え、
前記部分駆動化処理部は、
前記入力映像信号に基づいて、前記部分発光部に対応する画素領域単位での最大画素値である第１の最大画素値と、前記部分発光部に対応する画素領域単位での平均画素値である第１の平均画素値とをそれぞれ算出すると共に、
前記第１の最大画素値および前記第１の平均画素値の双方に基づいて、前記発光パターン信号および前記部分駆動用映像信号を生成する
液晶表示装置。
【請求項２】
前記部分駆動化処理部は、
前記第１の最大画素値と前記第１の平均画素値とを所定の合成比にて合成することにより、前記部分発光部単位での合成値を算出し、
この合成値に基づいて前記発光パターン信号および前記部分駆動用映像信号を生成する
請求項１に記載の液晶表示装置。
【請求項３】
前記合成比が変更可能となっている
請求項２に記載の液晶表示装置。
【請求項４】
前記部分駆動化処理部は、前記入力映像信号に基づいて前記合成比を動的に変化させる
請求項３に記載の液晶表示装置。
【請求項５】
前記部分駆動化処理部は、
前記入力映像信号に基づいて、前記部分発光部よりも広い画素領域での平均画素値である第２の平均画素値を算出し、この第２の平均画素値に基づいて前記合成比を決定する
請求項４に記載の液晶表示装置。
【請求項６】
前記部分駆動化処理部は、
前記第２の平均画素値が小さくなるのに従って前記第１の最大画素値の合成比率が大きくなるように、前記合成比を設定すると共に、
前記第２の平均画素値が大きくなるのに従って前記第１の平均画素値の合成比率が大きくなるように、前記合成比を設定する
請求項５に記載の液晶表示装置。
【請求項７】
前記部分駆動化処理部は、更に、
前記入力映像信号に基づいて、前記広い画素領域での最大画素値である第２の最大画素値を算出し、
前記第２の平均画素値に加えて、前記第２の最大画素値と前記第２の平均画素値との差分値をも用いて、前記合成比を決定する
請求項５または請求項６に記載の液晶表示装置。
【請求項８】
前記部分駆動化処理部は、
前記差分値が小さくなるのに従って前記第１の平均画素値の合成比率が大きくなるように、前記合成比を設定すると共に、
前記差分値が大きくなるのに従って前記第１の最大画素値の合成比率が大きくなるように、前記合成比を設定する
請求項７に記載の液晶表示装置。
【請求項９】
前記部分駆動化処理部は、設定された表示モードに応じて、前記合成比を変化させる
請求項３に記載の液晶表示装置。
【請求項１０】
前記光源部が、直下型またはエッジライト型の光源部である
請求項１に記載の液晶表示装置。
【発明の詳細な説明】
【技術分野】
【０００１】
本発明は、複数の部分発光部を有する光源部を備えた液晶表示装置に関する。
【背景技術】
【０００２】
近年、薄型テレビ、携帯端末装置のディスプレイとして、画素毎にＴＦＴ（Thin Film Transistor；薄膜トランジスタ）を設けたアクティブマトリクス型の液晶表示装置（ＬＣＤ；Liquid Crystal Display）が多く用いられている。このような液晶表示装置では、一般に、画面上部から下部に向かって、各画素の補助容量素子および液晶素子に映像信号が線順次に書き込まれることにより各画素が駆動される。
【０００３】
液晶表示装置に用いられるバックライトとしては、光源に冷陰極管（ＣＣＦＬ；Cold Cathode Fluorescent Lamp）を用いたものが主流であるが、近年では発光ダイオード（ＬＥＤ；Light Emitting Diode）を用いたものも登場してきている。
【０００４】
このようなＬＥＤ等をバックライトとして用いた液晶表示装置では、従来より、光源部を複数の部分発光部に分割して構成し、この部分発光部単位で独立して発光動作を行う（部分発光動作を行う）ようにしたものが提案されている（例えば、特許文献１参照）。このような部分発光動作の際には、入力映像信号に基づいて、バックライトにおける部分発光部単位での発光パターンを示す発光パターン信号と、部分駆動用映像信号とがそれぞれ生成されるようになっている。
【先行技術文献】
【特許文献】
【０００５】
【特許文献１】特開２００１−１４２４０９号公報
【特許文献２】特開２００３−９９０１０号公報
【発明の概要】
【発明が解決しようとする課題】
【０００６】
このような部分発光動作を用いた映像表示を行う際には、例えば、特許文献２に記載されているように、入力映像信号における部分発光部に対応する画素領域単位での最大画素値（ピーク値）に基づいて発光パターン信号を生成するのが一般的である。すなわち、この部分発光部に対応する画素領域単位での最大画素値の大小に応じて、各部分発光部の発光輝度を決定するようにしている。
【０００７】
ところが、この手法では、入力映像信号の内容（入力映像のパターン）によっては、部分発光部の発光輝度が必要以上に高く設定され、低消費電力化が図れないという問題があった。すなわち、例えば低輝度の背景内に高輝度の小物体が存在する映像等を表示する際には、たとえこの小物体が１画素分のものであったとしても、この小物体の輝度に対応する最大画素値に基づいて部分発光部の発光輝度が決定される。したがって、そのような場合には、必要以上に高く発光輝度が設定されることになり、消費電力が増大してしまっていた。なお、このような場合において、逆に必要以上に部分発光部の発光輝度を下げてしまうと、低消費電力化は図れるものの、今度は表示画質の低下（表示輝度の低下）を招いてしまうことになる。
【０００８】
以上のことから、部分発光動作を行う光源を用いて映像表示を行う際に、表示画質を低下させることなく（表示画質をほぼ維持しつつ）低消費電力化を実現する手法の提案が望まれていた。
【０００９】
本発明はかかる問題点に鑑みてなされたもので、その目的は、部分発光動作を行う光源部を用いて映像表示を行う際に、表示画質をほぼ維持しつつ低消費電力化を図ることが可能な液晶表示装置を提供することにある。
【課題を解決するための手段】
【００１０】
本発明の液晶表示装置は、互いに独立して制御される複数の部分発光部を有する光源部と、この光源部から部分発光部単位で射出された光を入力映像信号に基づいて変調することにより映像表示を行う液晶表示パネルと、入力映像信号に基づいて、光源部における部分発光部単位での発光パターンを示す発光パターン信号と、部分駆動用映像信号とをそれぞれ生成する部分駆動化処理部を有し、発光パターン信号を用いて光源部の各部分発光部に対する発光駆動を行うと共に、部分駆動用映像信号を用いて液晶表示パネルに対する表示駆動を行う表示制御部とを備えたものである。上記部分駆動化処理部は、入力映像信号に基づいて、部分発光部に対応する画素領域単位での最大画素値である第１の最大画素値と、部分発光部に対応する画素領域単位での平均画素値である第１の平均画素値とをそれぞれ算出すると共に、第１の最大画素値および第１の平均画素値の双方に基づいて、上記発光パターン信号および上記部分駆動用映像信号を生成する。
【００１１】
本発明の液晶表示装置では、入力映像信号に基づいて、光源部における部分発光部単位での発光パターンを示す発光パターン信号と、部分駆動用映像信号とがそれぞれ生成される。そして、発光パターン信号を用いて光源部の各部分発光部に対する発光駆動が行われると共に、部分駆動用映像信号を用いて液晶表示パネルに対する表示駆動が行われる。この際、入力映像信号に基づいて、部分発光部に対応する画素領域単位での最大画素値である第１の最大画素値と、部分発光部に対応する画素領域単位での平均画素値である第１の平均画素値とがそれぞれ算出される。そして、これら第１の最大画素値および第１の平均画素値の双方に基づいて、上記発光パターン信号および上記部分駆動用映像信号が生成される。これにより、例えば低輝度の背景内に高輝度の小物体が存在する映像等を表示する際に、部分発光部に対応する画素領域単位での最大画素値（上記第１の最大画素値）のみを用いて発光パターン信号および部分駆動用映像信号を生成する場合と比べ、部分発光部における発光輝度が抑えられる。また、これにより、表示画質における違和感等はほとんど生じない。
【発明の効果】
【００１２】
本発明の液晶表示装置によれば、入力映像信号に基づいて、部分発光部に対応する画素領域単位での最大画素値である第１の最大画素値と、部分発光部に対応する画素領域単位での平均画素値である第１の平均画素値とをそれぞれ算出すると共に、これら第１の最大画素値および第１の平均画素値の双方に基づいて発光パターン信号および部分駆動用映像信号を生成するようにしたので、表示画質における違和感等をほとんど生じさせることなく、部分発光部における発光輝度を抑えることができる。よって、部分発光動作を行う光源部を用いて映像表示を行う際に、表示画質をほぼ維持しつつ低消費電力化を図ることが可能となる。
【図面の簡単な説明】
【００１３】
【図１】本発明の一実施の形態に係る液晶表示装置の全体構成を表すブロック図である。
【図２】図１に示した画素の詳細構成例を表す回路図である。
【図３】図１に示した液晶表示装置における部分発光領域および部分照射領域の一例を模式的に表す分解斜視図である。
【図４】図１に示した部分駆動化処理部の詳細構成を表すブロック図である。
【図５】図１に示した液晶表示装置におけるバックライトの部分発光動作の概要を表す模式図である。
【図６】図１に示した液晶表示装置におけるバックライトの部分発光動作の概要を説明するための模式波形図である。
【図７】比較例に係る液晶表示装置における部分駆動化処理部の構成を表すブロック図である。
【図８】入力映像の一例を表す模式図である。
【図９】比較例に係る発光パターン信号の生成動作について説明するための波形図である。
【図１０】実施の形態に係る発光パターン信号の生成動作について説明するための波形図である。
【図１１】本発明の変形例１に係る部分駆動化処理部の構成を表すブロック図である。
【図１２】図１１に示した合成比算出部の動作について説明するための模式図である。
【図１３】図１２に示した画面平均値と合成比との関係の他の例を表す模式図である。
【図１４】入力映像の他の例を表す模式図である。
【図１５】本発明の変形例２に係る部分駆動化処理部の構成を表すブロック図である。
【図１６】図１５に示した合成比算出部の動作について説明するための模式図である。
【図１７】入力映像の更に他の例を表す模式図である。
【図１８】本発明の他の変形例に係るバックライトにおける部分発光動作を表す模式図である。
【発明を実施するための形態】
【００１４】
以下、本発明の実施の形態について、図面を参照して詳細に説明する。なお、説明は以下の順序で行う。
１．実施の形態（各部分発光領域における平均値と最大値との合成値を用いて、発光パターン信号を生成する例）
２．変形例
変形例１（画面平均値を用いて合成比を決定する例）
変形例２（画面最大値と画面平均値との差分値を用いて合成比を決定する例）
その他の変形例（エッジライト型のバックライトの例等）
【００１５】
＜実施の形態＞
［液晶表示装置１の全体構成］
図１は、本発明の一実施の形態に係る液晶表示装置（液晶表示装置１）の全体のブロック構成を表すものである。
【００１６】
液晶表示装置１は、外部から入力される入力映像信号Ｄinに基づいて映像表示を行うものである。この液晶表示装置１は、液晶表示パネル２、バックライト３（光源部）、映像信号処理部４１、部分駆動化処理部４２、タイミング制御部４３、バックライト駆動部５０、データドライバ５１およびゲートドライバ５２を有している。これらのうち、映像信号処理部４１、部分駆動化処理部４２、タイミング制御部４３、バックライト駆動部５０、データドライバ５１およびゲートドライバ５２が、本発明における「表示制御部」の一具体例に対応している。
【００１７】
液晶表示パネル２は、後述するバックライト３から射出された光を入力映像信号Ｄinに基づいて変調することにより、この入力映像信号Ｄinに基づく映像表示を行うものである。この液晶表示パネル２は、全体としてマトリクス状に配列された複数の画素２０を含んでいる。
【００１８】
図２は、各画素２０内の画素回路の回路構成例を表したものである。画素２０は、液晶素子２２、ＴＦＴ素子２１および補助容量素子２３を有している。この画素２０には、駆動対象の画素を線順次で選択するためのゲート線Ｇと、駆動対象の画素に対して映像電圧（後述するデータドライバ５１から供給される映像電圧）を供給するためのデータ線Ｄと、補助容量線Ｃｓとが接続されている。
【００１９】
液晶素子２２は、データ線ＤからＴＦＴ素子２１を介して一端に供給される映像電圧に応じて、表示動作を行うものである。この液晶素子２２は、例えばＶＡ（Vertical Alignment）モードやＴＮ（Twisted Nematic）モードの液晶よりなる液晶層（図示せず）を、一対の電極（図示せず）で挟み込んだものである。液晶素子２２における一対の電極のうちの一方（一端）は、ＴＦＴ素子２１のドレインおよび補助容量素子２３の一端に接続され、他方（他端）は接地されている。補助容量素子２３は、液晶素子２２の蓄積電荷を安定化させるための容量素子である。この補助容量素子２３の一端は、液晶素子２２の一端およびＴＦＴ素子２１のドレインに接続され、他端は補助容量線Ｃｓに接続されている。ＴＦＴ素子２１は、液晶素子２２および補助容量素子２３の一端同士に対し、映像信号Ｄ１に基づく映像電圧を供給するためのスイッチング素子であり、ＭＯＳ−ＦＥＴ（Metal Oxide Semiconductor−Field Effect Transistor）により構成されている。このＴＦＴ素子２１のゲートはゲート線Ｇ、ソースはデータ線Ｄにそれぞれ接続されると共に、ドレインは液晶素子２２および補助容量素子２３の一端同士に接続されている。
【００２０】
バックライト３は、液晶表示パネル２に対して光を照射する光源部であり、例えば発光素子として、ＣＣＦＬやＬＥＤなどを用いて構成されている。バックライト３は、後述するように、入力映像信号Ｄinの内容（映像パターン）に応じた発光駆動がなされるようになっている。
【００２１】
このバックライト３はまた、例えば図３に示したように、互いに独立して制御可能であるように構成された複数の部分発光領域３６（部分発光部）を有している。すなわち、このバックライト３は、部分駆動方式のバックライトにより構成されている。具体的には、バックライト３は、複数の光源が２次元的に配列されることにより複数の部分発光領域３６を有している。これにより、バックライト３は、面内方向に発光領域が縦ｎ×横ｍ＝Ｋ個（ｎ，ｍ＝２以上の整数）に分割されている。なお、この分割数は、上記した液晶表示パネル２における画素２０よりも低解像度のものとなっている。また、図３に示したように、液晶表示パネル２には、各部分発光領域３６に対応する複数の部分照射領域２６が形成されるようになっている。
【００２２】
バックライト３は、入力映像信号Ｄinの内容（映像パターン）に応じて、部分発光領域３６ごとに独立した発光制御が可能とされている。また、バックライト３における光源は、ここでは、赤色光を発する赤色ＬＥＤ３Ｒと、緑色光を発する緑色ＬＥＤ３Ｇと、青色光を発する青色ＬＥＤ３Ｂとの各色のＬＥＤを組み合わせて構成されている。ただし、光源として用いられるＬＥＤの種類としてはこれには限られず、例えば白色光を発する白色ＬＥＤを用いるようにしてもよい。なお、各部分発光領域３６には、このような光源が少なくとも１つずつ配置されている。
【００２３】
映像信号処理部４１は、各画素２０の画素信号からなる入力映像信号Ｄinに対して、例えば高画質化のための所定の画像処理（例えば、シャープネス処理やガンマ補処理など）を行うことにより、映像信号Ｄ１を生成するものである。
【００２４】
部分駆動化処理部４２は、映像信号処理部４１から供給される映像信号Ｄ１に対して所定の部分駆動化処理を行うものである。これにより、バックライト３における部分発光領域３６単位での発光パターンを示す発光パターン信号ＢＬ１と、部分駆動用映像信号Ｄ４とをそれぞれ生成するようになっている。具体的には、部分駆動化処理部４２は、映像信号Ｄ１に基づいて、部分発光部領域３６での最大画素値（第１の最大画素値）と、部分発光領域３６単位での平均画素値（第１の平均画素値）とをそれぞれ算出する。そして、これら最大画素値および平均画素値の双方に基づいて、発光パターン信号ＢＬ１および部分駆動用映像信号Ｄ４を生成している。なお、この部分駆動化処理部４２の詳細構成については後述する（図４）。
【００２５】
タイミング制御部４３は、バックライト駆動部５０、ゲートドライバ５２およびデータドライバ５１の駆動タイミングを制御すると共に、部分駆動化処理部４２から供給される部分駆動用映像信号Ｄ４をデータドライバ５１へ供給するものである。
【００２６】
ゲートドライバ５２は、タイミング制御部４３によるタイミング制御に従って、液晶表示パネル２内の各画素２０を、前述したゲート線Ｇに沿って線順次駆動するものである。一方、データドライバ５１は、液晶表示パネル２の各画素２０へそれぞれ、タイミング制御部４３から供給される、部分駆動用映像信号Ｄ４に基づく映像電圧を供給するものである。具体的には、部分駆動用映像信号Ｄ４に対してＤ／Ａ（デジタル／アナログ）変換を施すことにより、アナログ信号である映像信号（上記映像電圧）を生成し、各画素２０へ出力する。このようにして、部分駆動用映像信号Ｄ４に基づく表示駆動が、液晶表示パネル２内の各画素２０に対してなされるようになっている。
【００２７】
バックライト駆動部５０は、タイミング制御部４３によるタイミング制御に従って、部分駆動化処理部４２から出力される発光パターン信号ＢＬ１に基づく、バックライト３内の各部分発光領域３６に対する発光駆動（点灯駆動）を行うものである。
【００２８】
［部分駆動化処理部４２の詳細構成］
次に、図４を参照して、部分駆動化処理部４２の詳細構成について説明する。図４は、部分駆動化処理部４２のブロック構成を表したものである。この部分駆動化処理部４２は、低解像度化処理部４２２、ＢＬレベル算出部４２３、拡散部４２４およびＬＣＤレベル算出部４２５を有している。
【００２９】
低解像度化処理部４２２は、映像信号Ｄ１に対して所定の低解像度化処理を行うことにより、前述した発光パターン信号ＢＬ１の基となる映像信号Ｄ３（低解像度化信号、ブロック合成値）を生成するものである。具体的には、画素２０単位の輝度レベル信号（画素信号）により構成される映像信号Ｄ１を、画素２０と比べて低解像度である部分発光領域３６単位での輝度レベル信号に再構成することにより、映像信号Ｄ３を生成する。この際、低解像度化処理部４２２は、各部分発光領域３６内の複数の画素信号から以下説明する所定の特徴量を抽出することにより、再構築を行うようになっている。
【００３０】
この低解像度化処理部４２２は、最大値算出部４２２Ａ、平均値算出部４２２Ｂおよび合成値算出部４２２Ｃを有している。最大値算出部４２２Ａは、映像信号Ｄ１に基づいて、部分発光領域３６単位での最大画素値である、ブロック最大画素値Ｄ２max（第１の最大画素値）を算出するものである。平均値算出部４２２Ｂは、映像信号Ｄ１に基づいて、部分発光領域３６単位での平均画素値である、ブロック平均画素値Ｄ２ave（第１の平均画素値）を算出するものである。合成値算出部４２２Ｃは、最大値算出部４２２Ａから出力されるブロック最大画素値Ｄ２maxと、平均値算出部４２２Ｂから出力されるブロック平均画素値Ｄ２aveとを、所定の合成比αにて合成することにより、部分発光領域３６単位での合成値である映像信号Ｄ３を生成するものである。具体的には、合成値算出部４２２Ｃは、以下の（１）式を用いて映像信号Ｄ３を生成（算出）している。なお、低解像度化処理部４２２の詳細動作については後述する。
Ｄ３＝α×Ｄ２ave＋（１−α）×Ｄ２max  ……（１）
【００３１】
ＢＬレベル算出部４２３は、低解像度化処理部４２２から出力される映像信号Ｄ３に基づいて、部分発光領域３６ごとの発光輝度レベルを算出することにより、部分発光領域３６単位での発光パターンを示す発光パターン信号ＢＬ１を生成するものである。具体的には、部分発光領域３６ごとに映像信号Ｄ３の輝度レベルを解析することにより、各領域の輝度レベルに応じた発光パターンを得ることが可能となっている。
【００３２】
拡散部４２４は、ＢＬレベル算出部４２３から出力される発光パターン信号ＢＬ１に対して所定の拡散処理を行い、拡散処理後の発光パターン信号ＢＬ２をＬＣＤレベル算出部４２５へ出力するものであり、部分発光領域３６単位の信号から画素２０単位の信号への変換を行っている。この拡散処理は、バックライト３内の実際の光源（ここでは各色のＬＥＤ）における輝度分布（光源からの光の拡散分布）を考慮してなされる処理である。
【００３３】
ＬＣＤレベル算出部４２５は、映像信号Ｄ１と、拡散処理後の発光パターン信号ＢＬ２とに基づいて、部分駆動用映像信号Ｄ４を生成するものである。具体的には、映像信号Ｄ１の信号レベルを拡散処理後の発光パターン信号ＢＬ２で除算することにより、部分駆動用映像信号Ｄ４を生成している。詳細には、ＬＣＤレベル算出部４２５は以下の（２）式を用いて、映像信号Ｄ４を生成するようになっている。
Ｄ４＝（Ｄ１／ＢＬ２）  ……（２）
【００３４】
ここで、上記（２）式により、原信号（映像信号Ｄ１）＝（発光パターン信号ＢＬ２×部分駆動用映像信号Ｄ４）という関係が得られる。このうち、（発光パターン信号ＢＬ２×部分駆動用映像信号Ｄ４）の物理的意味は、ある発光パターンで点灯されたバックライト３における各部分発光領域３６の画像イメージに、部分駆動用映像信号Ｄ４の画像イメージを重ね合わせるというものである。これにより、詳細は後述するが、液晶表示パネル２における透過光の明暗分布を相殺し、本来の表示（原信号による表示）を目視することと等価となる。
【００３５】
［液晶表示装置１の作用・効果］
続いて、本実施の形態の液晶表示装置１の作用および効果について説明する。
【００３６】
（１．部分発光動作の概要）
この液晶表示装置１では、図１に示したように、まず、映像信号処理部４１が入力映像信号Ｄinに対して所定の画像処理を行うことにより、映像信号Ｄ１を生成する。次に、部分駆動化処理部４２は、この映像信号Ｄ１に対して所定の部分駆動化処理を行う。これにより、バックライト３における部分発光領域３６単位での発光パターンを示す発光パターン信号ＢＬ１と、部分駆動用映像信号Ｄ４とが、それぞれ生成される。
【００３７】
次いで、このようにして生成された部分駆動用映像信号Ｄ４および発光パターン信号ＢＬ１はそれぞれ、タイミング制御部４３へ入力される。このうち、部分駆動用映像信号Ｄ４は、タイミング制御部４３からデータドライバ５１へ供給される。データドライバ５１は、この部分駆動用映像信号Ｄ４に対してＤ／Ａ変換を施し、アナログ信号である映像電圧を生成する。そして、ゲートドライバ５２およびデータドライバ５１から出力される各画素２０への駆動電圧によって表示駆動動作がなされる。これにより、部分駆動用映像信号Ｄ４に基づく表示駆動が、液晶表示パネル２内の各画素２０に対してなされる。
【００３８】
具体的には、図２に示したように、ゲートドライバ５２からゲート線Ｇを介して供給される選択信号に応じて、ＴＦＴ素子２１のオン・オフ動作が切り替えられる。これにより、データ線Ｄと液晶素子２２および補助容量素子２３との間が選択的に導通される。その結果、データドライバ５１から供給される部分駆動用映像信号Ｄ４に基づく映像電圧が液晶素子２２へと供給され、線順次の表示駆動動作がなされる。
【００３９】
一方、発光パターン信号ＢＬ１は、タイミング制御部４３からバックライト駆動部５０へ供給される。バックライト駆動部５０は、この発光パターン信号ＢＬ１に基づいて、バックライト３内の各部分発光領域３６に対する発光駆動（部分駆動動作）を行う。
【００４０】
このとき、映像電圧が供給された画素２０では、バックライト３からの照明光が液晶表示パネル２において変調され、表示光として出射される。これにより、入力映像信号Ｄinに基づく映像表示が、液晶表示装置１において行われる。
【００４１】
具体的には、例えば図５に示したように、バックライト３の各部分発光領域３６による発光面イメージ７１と、表示パネル２単独によるパネル面イメージ７２とが物理的に重ね合わせられた（掛け算的に合成された）合成イメージ７３が、液晶表示装置１全体として最終的に観察される映像となる。
【００４２】
また、部分駆動化処理部４２へ入力される映像信号Ｄ１が、全体的に暗い（グレイレベルの）背景内に小さな明るい物体が存在する静止画像を表すものとなっている場合、部分発光動作は以下のようになる。
【００４３】
図６は、この場合における、液晶表示装置１における部分発光動作をタイミング図で模式的に表したものである。この図６において、（Ａ）は映像信号Ｄ１を、（Ｂ）は発光パターン信号ＢＬ１を、（Ｃ）は発光パターン信号ＢＬ２を、（Ｄ）は部分駆動用映像信号Ｄ４（＝Ｄ１／ＢＬ２）を、それぞれ示している。また、（Ｅ）はバックライト３における実際の輝度分布（ＢＬ輝度分布）を、（Ｆ），（Ｇ）は実際に目視される画像（＝Ｄ４×ＢＬ輝度分布）を、それぞれ示している。なお、（Ｂ）〜（Ｆ）において、横軸は、（Ａ），（Ｇ）中のＩＩ−ＩＩ線に沿った水平方向の画素位置を示している。また、（Ａ），（Ｇ）において、縦軸は画面の縦方向（垂直方向）の画素位置を示し、（Ｂ）〜（Ｆ）において、縦軸はレベル軸を示している。この図６により、部分発光動作を用いた映像表示の際に、入力される映像信号Ｄ１の内容（画像）と、目視画像とが互いに一致していることが分かる。
【００４４】
（２．発光パターン信号の生成動作）
次に、図７〜図１０を参照して、本発明の特徴的部分の１つである、部分駆動化処理部４２における発光パターン信号ＢＬ１の生成動作について、比較例と比較しつつ詳細に説明する。
【００４５】
（２−１．比較例）
図７は、比較例に係る液晶表示装置における部分駆動化処理部（部分駆動化処理部１０４）のブロック構成を表したものである。この比較例の部分駆動化処理部１０４は、図４に示した本実施の形態の部分駆動化処理部４２において、低解像度化処理部４２２の代わりに、最大値算出部４２２Ａのみを有する低解像度化処理部１０２を設けたものとなっている。
【００４６】
この部分駆動化処理部１０４では、まず、低解像度化処理部１０２において、映像信号Ｄ１に対して低解像度化処理を行い、部分発光領域３６単位での最大画素値であるブロック最大画素値Ｄ２maxを生成する。次いで、ＢＬレベル算出部４２３がこのブロック最大画素値Ｄ２maxに基づいて、部分発光領域３６単位での発光パターンを示す発光パターン信号ＢＬ１０１を生成する。また、拡散部４２４では、ＢＬレベル算出部４２３から出力される発光パターン信号ＢＬ１０１に対して拡散処理を行い、拡散処理後の発光パターン信号ＢＬ１０２をＬＣＤレベル算出部４２５へ出力する。そして、ＬＣＤレベル算出部４２５は、映像信号Ｄ１と、拡散処理後の発光パターン信号ＢＬ１０２とに基づいて、部分駆動用映像信号Ｄ１０４を生成する。具体的には、ＬＣＤレベル算出部４２５は、本実施の形態と同様にして以下の（３）式を用いることにより、映像信号Ｄ１０４を生成する。
Ｄ１０４＝（Ｄ１／ＢＬ１０２）  ……（３）
【００４７】
このようにして、この比較例の部分駆動化処理部１０４では、映像信号Ｄ１における部分発光領域３６単位での最大画素値（ブロック最大画素値Ｄ２max）に基づいて、発光パターン信号ＢＬ１０２を生成している。すなわち、このブロック最大画素値Ｄ２maxの大小に応じて、各部分発光領域３６の発光輝度を決定している。
【００４８】
ところが、この比較例の手法では、映像信号Ｄ１の内容（入力映像のパターン）によっては、部分発光領域３６の発光輝度が必要以上に高く設定され、低消費電力化が図れないという問題がある。具体的には、例えば図８に示した映像信号Ｄ１のように、全体的に暗い（グレイレベルの）背景内に小さな明るい物体Ｐ１１，Ｐ１２が存在する静止画像を表示する際には、以下のようになる。ここで、物体Ｐ１１，Ｐ１２の明るさ（輝度レベル）は互いに同一となっている一方、物体Ｐ１１の面積よりも物体Ｐ１２の面積のほうが大きいものとする。なお、以下では便宜上、部分発光領域３６（部分照射領域２６）が、縦２×横３＝６個設けられている場合について説明する。
【００４９】
この場合、例えば図９（Ａ）中の符号Ｐ２１（物体Ｐ１１に対応），Ｐ２２（物体Ｐ１２に対応）で示したように、物体Ｐ１１，Ｐ１２同士の輝度レベルは同一である。このため、例えば図９（Ｂ）中の符号Ｐ３１（物体Ｐ１１に対応），Ｐ３２（物体Ｐ１２に対応）で示したように、これらの物体が存在する部分発光領域３６におけるブロック最大画素値Ｄ２maxも、互いに同一の輝度レベルとなる。したがって、上記した比較例の手法では、物体Ｐ１１，Ｐ１２の面積の大小に関わらず（部分発光領域３６単位での平均画素値の大小に関わらず）、物体Ｐ１１が存在する部分発光領域３６における発光輝度と、物体Ｐ１２が存在する部分発光領域３６における発光輝度とが互いに同一となる。すなわち、極端な場合、例えば物体Ｐ１１が１画素分の小物体であったとしても、その小物体の輝度に対応するブロック最大画素値Ｄ２maxに基づいて部分発光領域３６の発光輝度が決定される。その結果、この比較例の手法では、必要以上に高く発光輝度が設定される場合が生じ、消費電力が増大してしまうことになる。なお、この場合において、逆に必要以上に部分発光領域３６の発光輝度を下げてしまうと、低消費電力化は図れるものの、今度は表示画質の低下（表示輝度の低下）を招いてしまうことになる。
【００５０】
（２−２．実施の形態）
これに対して、本実施の形態では、部分駆動化処理部４２において、映像信号Ｄ１に基づいて、部分発光領域３６単位での最大画素値（ブロック最大画素値Ｄ２max）を算出すると共に、映像信号Ｄ１に基づいて、部分発光領域３６単位での平均画素値（ブロック平均画素値Ｄ２ave）を算出する。そして、これらブロック最大画素値Ｄ２maxおよびブロック平均画素値Ｄ２aveの双方に基づいて、発光パターン信号ＢＬ１および部分駆動用映像信号Ｄ４を生成する。この際、具体的には、ブロック最大画素値Ｄ２maxとブロック平均画素値Ｄ２aveとを所定の合成比αにて合成することにより（前述の（１）式参照）、部分発光領域３６での合成値に対応する映像信号Ｄ３を算出する。そして、この映像信号Ｄ３に基づいて、発光パターン信号ＢＬ１および部分駆動用映像信号Ｄ４を生成している。
【００５１】
これにより、本実施の形態の部分発光動作では、例えば前述した図８のように、低輝度の背景内に高輝度の小物体が存在する映像等を表示する際に、上記比較例と比べ、部分発光領域３６における発光輝度が抑えられる。すなわち、部分発光部領域３６単位での最大画素値（ブロック最大画素値Ｄ２max）のみを用いて発光パターン信号および部分駆動用映像信号を生成する場合と比べ、部分発光領域３６における発光輝度が抑えられる。
【００５２】
具体的には、本実施の形態では、例えば図８に示した映像信号Ｄ１のように、全体的に暗い（グレイレベルの）背景内に小さな明るい物体Ｐ１１，Ｐ１２が存在する静止画像を表示する際には、以下のようになる。すなわち、この場合、例えば図１０（Ａ）中の符号Ｐ２１（物体Ｐ１１に対応），Ｐ２２（物体Ｐ１２に対応）で示したように、物体Ｐ１１，Ｐ１２同士の輝度レベルは同一である。このため、まず上記比較例と同様に、例えば図１０（Ｂ）中の符号Ｐ３１（物体Ｐ１１に対応），Ｐ３２（物体Ｐ１２に対応）で示したように、これらの物体が存在する部分発光領域３６におけるブロック最大画素値Ｄ２maxも、互いに同一の輝度レベルとなる。一方、物体Ｐ１１の面積よりも物体Ｐ１２の面積のほうが大きいことから、例えば図１０（Ｃ）中の符号Ｐ４１（物体Ｐ１１に対応），Ｐ４２（物体Ｐ１２に対応）で示したように、ブロック平均画素値Ｄ２aveは、物体Ｐ１１の部分発光領域３６よりも物体Ｐ１２の部分発光領域において、高い輝度レベルとなる。
【００５３】
したがって、このようにして求められたブロック最大画素値Ｄ２maxおよびブロック平均画素値Ｄ２aveに基づいて生成される発光パターン信号ＢＬ１では、合成比αが「０（ゼロ）」ではない限り、つまりブロック平均画素値Ｄ２aveの値が反映される限り、以下のようになる。すなわち、上記したように、部分発光部領域３６単位での最大画素値（ブロック最大画素値Ｄ２max）のみを用いて発光パターン信号および部分駆動用映像信号を生成する場合と比べ、部分発光領域３６（この場合、特に物体Ｐ１１が存在する部分発光領域３６）における発光輝度が抑えられる。
【００５４】
また、このような本実施の形態の手法により、表示画質における違和感等はほとんど生じない。すなわち、上記の例では、物体Ｐ１１が存在する部分発光領域３６において、物体Ｐ１１，Ｐ１２自体の明るさ（輝度レベル）が同一であるのにも関わらず、物体Ｐ１２が存在する部分発光領域よりも発光輝度を下げたとしても、視覚上、ほとんど問題は生じない。これは、大面積部分（この場合、グレイレベルの背景部分）の輝度レベルが再現（確保）されていれば、小面積部分（この場合、物体Ｐ１１の部分）の輝度レベルが正確な値ではなくても、人間の目には違和感が生じないということを意味している。
【００５５】
以上のように本実施の形態では、部分駆動化処理部４２において、映像信号Ｄ１に基づいて、部分発光領域３６単位での最大画素値（ブロック最大画素値Ｄ２max）と、部分発光領域３６単位での平均画素値（ブロック平均画素値Ｄ２ave）とをそれぞれ算出すると共に、これらブロック最大画素値Ｄ２maxおよびブロック平均画素値Ｄ２aveの双方に基づいて、発光パターン信号ＢＬ１および部分駆動用映像信号Ｄ４を生成するようにしたので、表示画質における違和感等をほとんど生じさせることなく、部分発光領域３６における発光輝度を抑えることができる。よって、部分発光動作を行う光源部を用いて映像表示を行う際に、表示画質を低下させることなく（ほぼ維持しつつ）、低消費電力化を図ることが可能となる。また、部分発光動作を行うことにより、従来の部分発光動作の際と同様の、低消費電力化および黒輝度の改善を図ることも可能となる。
【００５６】
＜変形例＞
続いて、上記実施の形態の変形例（変形例１，２）について説明する。なお、実施の形態と同一の構成要素については同一符号を付してその説明を適宜省略する。
【００５７】
（変形例１）
図１１は、変形例１に係る液晶表示装置における部分駆動化処理部（部分駆動化処理部４２Ａ）のブロック構成を表したものである。本変形例の部分駆動化処理部４２Ａは、図４に示した実施の形態の部分駆動化処理部４２において、低解像度化処理部４２２の代わりに、以下説明する低解像度化処理部４２２−１を設けたものとなっている。
【００５８】
低解像度化処理部４２２−１は、低解像度化処理部４２２と同様の最大値算出部４２２Ａ、平均値算出部４２２Ｂおよび合成値算出部４２２Ｃに加え、平均画素値算出部４２２Ｄおよび合成比算出部４２２Ｅを更に有している。これにより低解像度化処理部４２２−１では、以下説明するように、合成値算出部４２２Ｃにおいて合成値（映像信号Ｄ３）を生成する際の合成比αの値が、固定ではなく変更可能となっている。具体的には、ここでは、映像信号Ｄ１に基づいて合成比αを動的に変化させるようになっている。
【００５９】
平均画素値算出部４２２Ｄは、映像信号Ｄ１に基づいて、液晶表示パネル２における画面全体（全ての画素２０）での平均画素値である、画面平均画素値Ｄ１ave（第２の平均画素値）を算出するものである。なお、ここでは、画面全体の平均画素値を用いているが、例えば、対象とする部分発光領域３６およびその近傍（周辺）の画素領域など、対象とする部分発光領域３６よりも広い画素領域であればよい。
【００６０】
合成比算出部４２２Ｅは、画素平均値算出部４２２Ｄから出力される画面平均画素値Ｄ１aveに基づいて、合成比αを算出（決定）するものである。具体的には、例えば図１２に示したような、画面平均画素値Ｄ１aveと合成比αとの対応関係を示すテーブル等を用いて、合成比αを決定する。すなわち、画面平均画素値Ｄ１aveの値が小さくなるのに従って合成比αの値が小さくなるように（ブロック最大画素値Ｄ２maxの合成比率が大きくなるように）、合成比αを設定する。また、逆に画面平均画素値Ｄ１aveの値が大きくなるのに従って合成比αの値が小さくなるように（ブロック平均画素値Ｄ２aveの合成比率が大きくなるように）、合成比αを設定する。詳細には、図１２に示した例では、０％（黒レベルに対応）≦Ｄ１ave≦輝度レベルＬ１のときには、合成比α＝α１（＞０）の一定値となっている。また、輝度レベルＬ１≦Ｄ１ave≦輝度レベルＬ２のときには、合成比αの値が、α１からα２（α１＜α２＜１）まで線形に増加している。更に、輝度レベルＬ２≦Ｄ１ave≦１００％（白レベルに対応）のときには、合成比α＝α２の一定値となっている。ただし、画面平均画素値Ｄ１aveと合成比αとの対応関係は、この図１２に示したものには限られず、他の形状の対応関係を示すものを用いてもよい。
【００６１】
また、例えば図１３中の矢印で示したように、図１２に示したような画面平均画素値Ｄ１aveと合成比αとの対応関係を示す特性線において、合成比αの設定値（最小値α１，最大値α２）の大小や、特性線の傾き、折れ曲がり点の位置などが、製品の仕様やユーザの設定に応じて任意に変更可能となっているようにしてもよい。
【００６２】
このようにして本変形例では、映像信号Ｄ３を生成する際の合成比αの値を変更可能、具体的には映像信号Ｄ１に基づいてこの合成比αを動的に変化させるようにしたので、入力映像の内容（映像パターン）に応じて、低消費電力化および高画質化の双方の観点においてより適切な部分発光動作を実現することが可能となる。
【００６３】
具体的には、例えば図１４（Ａ）に示した映像信号Ｄ１１を表示する場合と、例えば図１４（Ｂ）に示した映像信号Ｄ１２を表示する場合とを比較すると、以下のことが言える。まず、本変形例の手法では、図１４（Ａ）に示した映像信号Ｄ１１のように、背景が中間調（グレイレベル）である場合と比べ、図１４（Ｂ）に示した映像信号Ｄ１２のように、背景が黒レベルに近い場合において、合成比αの値を小さく設定する。換言すると、画面平均画素値Ｄ１aveの値が相対的に小さい場合において、ブロック最大画素値Ｄ２maxの合成比率をより大きくし、部分発光領域３６における発光輝度をより高く設定する。これは、背景がより黒レベルに近づくと（画面平均画素値Ｄ１aveが小さくなるのに従って）、ブロック最大画素値Ｄ２maxと画面最大画素値Ｄ１aveとの差分が大きくなるため、本変形例の手法を用いたほうが画質上望ましいためである。すなわち、上記した差分が大きくなると、視覚上、ブロック最大画素値Ｄ２max（ピークレベル）に対応する「きらり」とした印象度合いが強くなることから、本変形例の手法を用いることにより画質をより向上させることが可能となる。
【００６４】
（変形例２）
図１５は、変形例２に係る液晶表示装置における部分駆動化処理部（部分駆動化処理部４２Ｂ）のブロック構成を表したものである。本変形例の部分駆動化処理部４２Ｂは、図１１に示した変形例１の部分駆動化処理部４２Ａにおいて、低解像度化処理部４２２−１の代わりに、以下説明する低解像度化処理部４２２−２を設けたものとなっている。
【００６５】
低解像度化処理部４２２−１は、低解像度化処理部４２２−１と同様の最大値算出部４２２Ａ、平均値算出部４２２Ｂ、合成値算出部４２２Ｃ、平均画素値算出部４２２Ｄおよび合成比算出部４２２Ｅに加え、画面最大値算出部４２２Ｆおよび差分値算出部４２２Ｇを更に有している。
【００６６】
画面最大値算出部４２２Ｆは、映像信号Ｄ１に基づいて、液晶表示パネル２における画面全体（全ての画素２０）での最大画素値である、画面最大画素値Ｄ１max（第２の最大画素値）を算出するものである。なお、ここでは、画面全体の最大画素値を用いているが、前述したように、例えば対象とする部分発光領域３６およびその近傍（周辺）の画素領域など、対象とする部分発光領域３６よりも広い画素領域であればよい。
【００６７】
差分値算出部４２２Ｇは、画面最大値算出部４２２Ｆから出力される画面最大画素値Ｄ１maxと、画面平均値算出部４２２Ｄから出力される画面平均画素値Ｄ１aveとの差分値Ｄ１ｄ（＝Ｄ１max−Ｄ１ave）を算出するものである。
【００６８】
また、本変形例の合成比算出部４２２Ｅは、上記変形例１で説明した画面平均画素値Ｄ１aveに加えて、差分値算出部４２２Ｇから出力される差分値Ｄ１ｄをも用いて、合成比αを算出（決定）している。具体的には、例えば図１６中の矢印Ｐ５１で示したように、差分値Ｄ１ｄの値が小さくなるのに従って合成比αの値が大きくなるように（ブロック平均画素値Ｄ２aveの合成比率が大きくなるように）、合成比αを設定する。また、例えば図中の矢印Ｐ５２で示したように、逆に差分値Ｄ１ｄの値が大きくなるのに従って合成比αの値が小さくなるように（ブロック最大画素値Ｄ２maxの合成比率が大きくなるように）、合成比αを設定する。
【００６９】
詳細には、差分値Ｄ１ｄの大小に応じて、画面平均画素値Ｄ１aveと合成比αとの対応関係を示す特性線を、以下の（Ａ），（Ｂ）のように変化させることが挙げられる。
（Ａ）差分値Ｄ１ｄ：小のとき……合成比αの設定値（最小値α１，最大値α２）：大、特性線の傾き：緩やか、折れ曲がり点の位置：小（黒レベル側）に設定する
（Ｂ）差分値Ｄ１ｄ：大のとき……合成比αの設定値（最小値α１，最大値α２）：小、特性線の傾き：急峻、折れ曲がり点の位置：大（白レベル側）に設定する
【００７０】
このようにして本変形例では、画面平均画素値Ｄ１aveに加え、画面最大画素値Ｄ１maxと画面平均画素値Ｄ１aveとの差分値Ｄ１ｄをも用いて合成比αを決定するようにしたので、上記変形例１における効果に加え、更に低消費電力化を図ることが可能となる。
【００７１】
具体的には、例えば図１７（Ａ）に示した前述の映像信号Ｄ１２を表示する場合と、例えば図１７（Ｂ）に示した映像信号Ｄ１３を表示する場合とを比較すると、以下のことが言える。まず、本変形例の手法では、図１７（Ａ）に示した映像信号Ｄ１２のように、小物体である物体Ｐ１１の輝度レベルが大きい（白レベルに近い）場合と比べ、図１７（Ｂ）に示した映像信号Ｄ１３のように、物体Ｐ１１の輝度レベルが小さい（黒レベルに近い）場合において、合成比αの値を大きく設定する。換言すると、画面最大画素値Ｄ１maxと画面平均画素値Ｄ１aveとの差分値Ｄ１ｄが相対的に小さい場合において、ブロック平均画素値Ｄ２aveの合成比率をより大きくし、部分発光領域３６における発光輝度をより低く設定する。これは、前述したブロック最大画素値Ｄ２max（ピークレベル）に対応する白の「きらり」感は、ブロック最大画素値Ｄ２maxが大きいとき（差分値Ｄ１ｄが大きいとき）に顕著に感じるものであり、ブロック最大画素値Ｄ２maxが小さいとき（差分値Ｄ１ｄが小さいとき）にはあまり感じられなくためである。したがって、後者の場合には、本変形例のように、ブロック平均画素値Ｄ２aveの合成比率をより大きくして、部分発光領域３６における発光輝度をより低く設定することにより、「キラリ」感を維持しつつ、一層の低消費電力化を図ることが可能となる。
【００７２】
また、本変形例では、映像信号Ｄ１に基づいて合成比αを動的に変化させる場合について説明したが、例えば、ユーザ等により設定された表示モード（例えば、ＴＶ装置における画質モード等）に応じて、合成比αを変化させるようにしてもよい。例えば、輝度を忠実に再現する表示モード（画質優先の表示モード）の際には、合成比αの値が小さくなるように（ブロック最大画素値Ｄ２maxの合成比率が大きくなるように）、合成比αを設定すればよい。したがって、この輝度を忠実に再現する表示モード（画質優先の表示モード）では、画面平均画素値Ｄ１aveと合成比αとの対応関係を示す特性線を、前述の（Ｂ）のように変化させればよい。一方、例えば、消費電力削減に注力する表示モード（低消費電力優先の表示モード）の際には、逆に、合成比αの値が大きくなるように（ブロック平均画素値Ｄ２aveの合成比率が大きくなるように）、合成比αを設定すればよい。したがって、この消費電力削減に注力する表示モード（低消費電力優先の表示モード）では、画面平均画素値Ｄ１aveと合成比αとの対応関係を示す特性線を、前述の（Ａ）のように変化させればよい。また、例えば、画面平均画素値Ｄ１aveが大きいときには低消費電力優先の表示モード、画面平均画素値Ｄ１aveが小さいときには画質優先の表示モードといった具合に、２つの表示モード間でメリハリをつけて動作させる場合には、例えば以下のように設定すればよい。すなわち、合成比αの設定値（最小値α１）：小、合成比αの設定値（最大値α２）：大、特性線の傾き：急峻、に設定することが挙げられる。
【００７３】
（その他の変形例）
以上、実施の形態および変形例を挙げて本発明を説明したが、本発明はこれらの実施の形態等に限定されず、種々の変形が可能である。
【００７４】
例えば、上記実施の形態等では、バックライトが、光源として赤色ＬＥＤ、緑色ＬＥＤおよび青色ＬＥＤを含んで構成されている場合について説明したが、これらに加えて（またはこれらに代えて）、他の色光を発する光源を含んで構成するようにしてもよい。例えば、４色以上の色光によって構成した場合、色再現範囲を拡大し、より多彩な色を表現することが可能となる。
【００７５】
また、上記実施の形態等では、バックライト３が、いわゆる直下型のバックライト（光源部）である場合を例に挙げて説明したが、本発明は、例えば図１８（Ａ）〜（Ｃ）に示したバックライト３−１〜３−３のような、いわゆるエッジライト型のバックライトにも適用することが可能である。具体的には、これらのバックライト３−１〜３−３は、光出射面を形成する例えば矩形状の導光板３０と、この導光板３０の側面（光出射面の側面）側に配設された複数の光源３１とを含んで構成されている。詳細には、図１８（Ａ）に示したバックライト３−１では、矩形状の導光板３０における対向する１対の側面（上下方向の側面）の各側に、複数（ここでは４つ）の光源３１が配設されている。また、図１８（Ｂ）に示したバックライト３−２では、矩形状の導光板３０における対向する１対の側面（左右方向の側面）の各側に、複数（ここでは４つ）の光源３１が配設されている。更に、図１８（Ｃ）に示したバックライト３−３では、矩形状の導光板３０における対向する２対の側面（上下左右方向の側面）の各側に、複数（ここでは４つ）の光源３１が配設されている。このような構成によりバックライト３−１〜３−３では、互いに独立して制御可能な複数の部分発光領域３６が、導光板３０の光出射面上に形成されるようになっている。
【００７６】
加えて、上記実施の形態等において説明した一連の処理は、ハードウェアにより行うこともできるし、ソフトウェアにより行うこともできる。一連の処理をソフトウェアによって行う場合には、そのソフトウェアを構成するプログラムが、汎用のコンピュータ等にインストールされるようになっている。このようなプログラムは、コンピュータに内蔵されている記録媒体に予め記録してさせておくようにしてもよい。
【符号の説明】
【００７７】
１…液晶表示装置、２…液晶表示パネル、２０…画素、２１…ＴＦＴ素子、２２…液晶素子、２３…補助容量素子、２６…部分照射領域、３，３−１〜３−３…バックライト、３Ｒ…赤色ＬＥＤ、３Ｇ…緑色ＬＥＤ、３Ｂ…青色ＬＥＤ、３０…導光板、３１…光源、３６…部分発光領域、４１…映像信号処理部、４２，４２Ａ，４２Ｂ…部分駆動化処理部、４２２，４２２−１，４２２−２…低解像度化処理部、４２２Ａ…最大値算出部、４２２Ｂ…平均値算出部、４２２Ｃ…合成値算出部、４２２Ｄ…平均画素値算出部、４２２Ｅ…合成比算出部、４２２Ｆ…画面最大値算出部、４２２Ｇ…差分値算出部、４２３…ＢＬレベル算出部、４２４…拡散部、４２５…ＬＣＤレベル算出部、４３…タイミング制御部、５０…バックライト駆動部、５１…データドライバ、５２…ゲートドライバ、７１…発光面イメージ、７２…パネル面イメージ、７３…合成イメージ、Ｄin…入力映像信号、Ｄ１…映像信号、Ｄ１max…画面最大画素値、Ｄ１ave…画面平均画素値、Ｄ１ｄ…差分値、Ｄ２max…ブロック最大画素値、Ｄ２ave…ブロック平均画素値、Ｄ３…映像信号（ブロック合成値）、Ｄ４…部分駆動用映像信号、ＢＬ１，ＢＬ２…発光パターン信号、α，α１，α２…合成比、Ｌ１，Ｌ２…輝度レベル、Ｄ…データ線、Ｇ…ゲート線、Ｃｓ…補助容量線。
【図１】
2011242604.tif 000003
【図２】
2011242604.tif 000004
【図３】
2011242604.tif 000005
【図４】
2011242604.tif 000006
【図５】
2011242604.tif 000007
【図６】
2011242604.tif 000008
【図７】
2011242604.tif 000009
【図８】
2011242604.tif 000010
【図９】
2011242604.tif 000011
【図１０】
2011242604.tif 000012
【図１１】
2011242604.tif 000013
【図１２】
2011242604.tif 000014
【図１３】
2011242604.tif 000015
【図１４】
2011242604.tif 000016
【図１５】
2011242604.tif 000017
【図１６】
2011242604.tif 000018
【図１７】
2011242604.tif 000019
【図１８】
2011242604.tif 000020